(57)【要約】【課題】側板に棚板を水平に取付けた組立て式木製棚であって、中仕切り板を取付けないで大荷重に耐えることが出来る組立て式木製棚の提供。【解決手段】棚板は複数枚の棚板を重ね合わせて固定した組合せ棚板２，２とし、そして、組合せ棚板２，２の各棚板木口を側板１，１に面して内面へ突出した止め具によって支持する。【選択図】　　　　図１
2004073726.tif 000002
【特許請求の範囲】
【請求項１】
側板に棚板を水平に取付けた組立て式木製棚において、棚板は複数枚の棚板を重ね合わせて固定した組合せ棚板とし、そして組合せ棚板の各棚板木口を側板に面して内面へ突出した止め具によって支持したことを特徴とする組立て式木製棚。
【請求項２】
組合せ棚板を構成する棚板は、補強板の両面に表面板を貼り合せて構成した請求項１記載の組立て式木製棚。
【請求項３】
両縦桟と両横桟にて枠組された枠体に、コ型断面の木芯に金属製の芯を嵌めた補強桟を取着して補強板を構成した請求項２記載の組立て式木製棚。
【請求項４】
枠体にハニカムコアを嵌めて補強板とした請求項２記載の組立て式木製棚。
【請求項５】
パーチクルボードを補強板とした請求項２記載の組立て式木製棚。
【請求項６】
組立て式木製棚の棚板において、棚板は複数枚の棚板を重ね合わせて固定した組合せ棚板とし、そして該組合せ棚板を側板に面して内面へ突出した止め具によって支持する為に、各棚板の木口には側板内面から突出した止め具が螺合、又は嵌合等する穴を設けたことを特徴とする組立て式木製棚の棚板。
【発明の詳細な説明】
【０００１】
【発明の属する技術分野】
本発明は耐荷重が大きくて、そして幅広の組立て式木製棚及び棚板に関するものである。
【０００２】
【従来の技術】
図４は従来から使用されている木製の棚を示している具体例であり、両側板（イ）、（イ）に棚板（ロ）、（ロ）が水平に取付けられている。棚板（ロ）は側板（イ）の外側面から挿入して内面側へ突出した止め具（ハ）に載って支持されている。止め具の形態は色々あって、ネジ式の場合には、棚板（ロ）の木口に設けているネジ穴に螺合して固定することが出来る。又ピン式の場合には、内面側へ突出したピンに載って支持している。
【０００３】
図５は棚板（ロ）の木口を側板（イ）の内面に密着して支持している場合であり、（ａ）はネジ（ニ）を側板（イ）から棚板（ロ）の木口に螺合した支持形態である。棚板木口にはナット（ホ）を埋着していて、該ナット（ホ）のネジ穴にネジ（ニ）を螺合している。又、（ｂ）は側板（イ）を貫通して内面側へ突出したピン（ヘ）に棚板（ロ）が載って支えられている。棚板（ロ）の下面には凹溝（ト）が形成され、そして該凹溝（ト）にピン（ヘ）が嵌っている。
【０００４】
ところで、従来の組立て式木製棚は、棚板（ロ）の曲げ強度、及び該棚板（ロ）を支える止め具（ハ）と木口の強度により、大きなもので９０〜１２０ｃｍ幅までのサイズが大半である。従って、大きな幅寸法の木製棚の場合、図６に示しているような中仕切り板（チ）を両側板（イ）、（イ）の間に配置して、棚板（ロ）、（ロ）…を支える構造としている。各棚板（ロ）、（ロ）…は中仕切り板（チ）によって中間部位が支えられ、大きな荷重に耐えることが出来る。
【０００５】
しかし、このような中仕切り板（チ）を取付けることで、棚板に載る物品が制約され、例えば長くて大きな物だけでなく、書籍類を収納する場合であっても、中仕切り板（チ）が存在することで整理がし難いといった問題が発生する。
【０００６】
【発明が解決しようとする課題】
このように、従来の組立て式木製棚には上記のごとき問題がある。本発明が解決しようとする課題はこの問題点であり、中仕切り板を取付けることなく、大荷重に耐えうることが出来る組み立て式木製棚を提供する。
【０００７】
【課題を解決する為の手段】
本発明に係る組立て式木製棚は大きな荷重に耐え得ることが出来るように構成され、その特徴は棚板と該棚板を支える止め具にある。すなわち、棚板だけの強度を高めても、木口及び該棚板を支える止め具の強度が弱くては全く意味が無い訳であり、本発明では両方の強度を高めて、木製棚全体としての耐荷重を大きく向上した構造と成っている。
【０００８】
そこで、棚板には補強が施され、この棚板を２枚以上重ね合わせて組合せ棚板とする。補強が施される棚板とは、金属製の芯、ハニカムコア、ＬＶＬ、パーチクルボード、木芯などを間にして両面に薄い化粧板を貼り合せて構成している。そして組合せ棚板の各木口には止め具が嵌る溝やネジ穴を設けている。すなわち、各棚板はそれぞれ独立して止め具によって支持固定される。しかし各棚板は接着剤、ネジ、木ダボなどによって互いに連結されて１枚の組合せ棚板として構成している。以下、本発明に係る実施例を図面に基づいて詳細に説明する。
【０００９】
【実施例】
図１は本発明に係る組立て式木製棚を表わしている実施例である。同図に示すように所定の間隔をおいて垂直に起立する両側板１，１間には組合せ棚板２，２が水平に取付けられ、同じ組合せ棚板が底板３として使われている。そして、この木製棚は幅寸法が従来に比較して大きく、例えば１８０ｃｍ以上の大きさとなっている。
【００１０】
このように棚の幅寸法が大きくなることで、組合せ棚板２の長さは大きく、しかし組合せ棚板２に載せられる物品が重くても耐えることが出来る強度となっている。図２は組合せ棚板２と側板１の分解図であるが、２枚の棚板４ａ，４ｂが重なり合ってネジ５，５…で分離しないように組合され、１枚の組合せ棚板を構成している。勿論、ネジ５，５…にて組合せる代わりに、接着剤を使用して貼り合わせることもある。
【００１１】
そして、各棚板４ａ，４ｂの木口にはネジ穴６，６…が合計８個設けられ、側板１の穴から挿通されるネジによって、組合せ棚板２は側板１，１に取着される。このように組合されてはいるが、各棚板４ａ，４ｂの木口のネジ穴にネジが螺合して取着され、木口部の強度は片側４箇所に分散されることで保たれる。
【００１２】
又、個々の棚板４ａ，４ｂは補強が施されて構成され、例えば、図３に示すような構造とすることが出来る。すなわち、補強板７の両面側には表面板８，８が貼着されて棚板４と成り、そして補強板７は長方形の枠体に補強桟９，９が備わっている。上記枠体は縦桟１０，１０と横桟１１，１１が組合されて構成され、補強桟９，９は横桟１１，１１と平行を成して、両端が縦桟１０，１０に固定されている。
【００１３】
ここで、補強桟９はその拡大図を（ｂ）に示しているように、コ型断面の木芯１２の溝１４に鉄芯１３が嵌合している。同図は鉄芯１３が完全に嵌合せずに上部が木芯１２の溝１４からはみ出しいるが、該補強桟９，９を枠体に取付けることで非常に丈夫で高強度の補強板７となり、該補強板７の両面に表面板８，８を貼り合せた棚板４は非常に丈夫である。
【００１４】
勿論、補強板７の構造は同図に限定するものではなく、ハニカムコアを補強板として使用したり、又はパーチクルボードを用いることもある。そしてこの補強板７の両面には同じく表面板８，８が貼り合わされて棚板４となる。
【００１５】
以上述べたように、本発明の組立て式木製棚は、棚板を２枚以上重ね合わせた組合せ棚板とし、側板に設けた止め具によって各棚板の木口を支持固定したものであり、次のような効果を得ることが出来る。
【００１６】
【発明の効果】
本発明に係る組立て式木製棚には、補強板を内部に貼り合せた棚板を２枚以上重ね合わせた組合せ棚板が用いられる。従って、組合せ棚板はその曲げ強度が高く、幅寸法を大きくしても、間に仕切り板を設ける必要はない。例えば幅２００ｃｍの棚であっても、仕切り板が無くても大きな荷重に耐え、撓みも少ない。その為に木口に作用する負担も小さくなる。
【００１７】
そして、側板とは重ね合わされた各棚板が止め具によって固定される為に、すなわち１枚の組合せ棚板ではあるが、木口には個々のネジ穴又は溝が形成され、止め具はネジ穴に螺合したり、溝に嵌るなどして支持される。従って、木口部での支持荷重が分散されて、組合せ棚板に作用する大きな荷重にも耐えることが出来る。
【図面の簡単な説明】
【図１】本発明に係る組合せ木製棚。
【図２】組合せと側板の分解図。
【図３】組合せ棚板のフ分解図。
【図４】従来の組合せ式木製棚。
【図５】棚板の支持構造。
【図６】中仕切り板を備えた木製棚。
【符号の説明】
１　側板
２　組合せ棚板
３　底板
４　棚板
５　ネジ
６　ネジ穴
７　補強板
８　表面板
９　補強桟
１０　縦桟
１１　横桟
１２　木芯
１３　鉄芯
１４　溝
【図１】
2004073726.tif 000003
【図２】
2004073726.tif 000004
【図３】
2004073726.tif 000005
【図４】
2004073726.tif 000006
【図５】
2004073726.tif 000007
【図６】
2004073726.tif 000008